(57)【要約】【課題】        無線通信のソケットモードにおけるトラヒックチャネルの休止のためのシステム及び方法。【解決手段】  ＣＤＭＡシステムのような無線通信システムにおいて、移動局上でソケットモードで動いている二つのアプリケーションを支えているトラヒックチャネルは、以下の時に休止することが許され、解放される。その時とは、各ソケットに関連付けられたそれぞれのアイドル期間が終わる時、即ち、潜在的に等しくない二つのアイドル期間の長い方の間、トラヒックチャネル上で送信が無い時である。
2005510967.tif 000002
【特許請求の範囲】
【請求項１】
無線通信システムにおけるトラヒックチャネルの使用を管理するための方法であって、該方法は以下を具備する：
少なくとも第一の無線通信装置において、少なくとも第一及び第二の通信コネクションを確立すること、該通信コネクションはトラヒックチャネルにおいて確立されている；
少なくとも第一及び第二の通信コネクションに対して、それぞれ、少なくとも第一及び第二のアイドル期間を確立すること；そして、
アイドル期間が終了する時に、通信コネクションに関連付けられたトラヒックチャネルを解放すること。
【請求項２】
それぞれの通信コネクションを通して、送信又は受信が通過する時に、アイドル期間の１つをリセットすることを更に具備する、請求項１に記載の方法。
【請求項３】
少なくとも１つのアイドル期間はデフォルト値に設定される、請求項１に記載の方法。
【請求項４】
少なくとも１つのアイドル期間は、関連付けられたコネクション又はアプリケーションによって定義される、請求項１に記載の方法。
【請求項５】
いくつかのアイドル期間同士は等しくない、請求項１に記載の方法。
【請求項６】
少なくとも１つの通信コネクションはソケットのコネクションである、請求項１に記載の方法。
【請求項７】
下記を具備する無線通信システム；
第一のソケットで動いている、少なくとも第一のアプリケーション；そして
第二のソケットで動いている、少なくとも第二のアプリケーション、該第二のソケットにおいて、第一及び第二のアプリケーションは共通の無線トラヒックチャネルの使用を潜在的に要求し、共通のトラヒックチャネルは、トラヒックチャネルでの送信が無いときに、選択的に休止状態になることが許される。
【請求項８】
トラヒックチャネルは、休止状態になった時に解放される、請求項７に記載のシステム。
【請求項９】
各ソケットは、それぞれのアイドル期間と関連付けられ、トラヒックチャネルは、少なくとも１つのアイドル期間の終了時に休止状態になる、請求項７に記載のシステム。
【請求項１０】
トラヒックチャネルは、両方のアイドル期間の終了時に休止状態になる、請求項９に記載のシステム。
【請求項１１】
それぞれのソケットを通して、送信又は受信が通過する時に、アイドル期間がリセットされる、請求項１０に記載のシステム。
【請求項１２】
少なくとも１つのアイドル期間はデフォルト値に設定される、請求項１１に記載のシステム。
【請求項１３】
少なくとも１つのアイドル期間は、関連付けられたアプリケーションによって定義される、請求項１１に記載のシステム。
【請求項１４】
アイドル期間同士は互いに等しくない、請求項１１に記載のシステム。
【請求項１５】
アプリケーションは、無線通信装置上で動作する、請求項７に記載のシステム。
【請求項１６】
下記を具備する無線通信システム；
第一の通信コネクションに、少なくとも第一のアイドル期間を関連付けるための手段；
第二の通信コネクションに、少なくとも第二のアイドル期間を関連付けるための手段、ここにおいて無線トラヒックチャネルは両方の通信コネクションに対して確立される；そして、
アイドル期間が終了する時にトラヒックチャネルを解放するための手段。
【請求項１７】
通信コネクションは、ソケットのコネクションとパケットのコネクションを含む、請求項１６に記載のシステム。
【請求項１８】
それぞれのソケットを通して、送信又は受信が通過する時に、少なくとも１つのアイドル期間をリセットするための手段を更に具備する、請求項１７に記載のシステム。
【請求項１９】
少なくとも１つのアイドル期間をデフォルト値に設定するための手段を更に具備する、請求項１８に記載のシステム。
【請求項２０】
第一のアイドル期間が第二のアイドル期間と等しくない、請求項１８に記載のシステム。
【請求項２１】
トラヒックチャネルはＣＤＭＡのトラヒックチャネルである、請求項１６に記載のシステム。
【請求項２２】
無線通信装置と、ソケットのコネクション及びパケットのコネクションを含むコネクションの集まりから選択された複数のコネクションとに関連付けられた、トラヒックチャネルを管理するための方法であって、該方法は以下を具備する；
トラヒックチャネルに関連付けられた全てのアプリケーションを決定する；そして、
トラヒックチャネルに関連付けられた全てのアプリケーションがトラヒックチャネルを要求しない時にのみ、決定されたアプリケーションに関連付けられたトラヒックチャネルが解放されるようにする。
【請求項２３】
無線通信システムにおけるトラヒックチャネルの使用を管理するための方法を具体化する、コンピュータが読み取り可能な媒体であって、該媒体は下記を具備する；
少なくとも第一の無線通信装置において、少なくとも第一及び第二の通信コネクションを確立すること、該通信コネクションはトラヒックチャネルにおいて確立されている；
少なくとも第一及び第二の通信コネクションに対して、それぞれ、少なくとも第一及び第二のアイドル期間を確立すること；そして、
アイドル期間が終了する時に、通信コネクションに関連付けられたトラヒックチャネルを解放すること。
【請求項２４】
該方法が、それぞれの通信コネクションを通して、送信又は受信が通過する時に、アイドル期間をリセットすることを更に具備する、請求項２３に記載のコンピュータが読み取り可能な媒体。
【請求項２５】
少なくとも１つのアイドル期間はデフォルト値に設定される、請求項２３に記載のコンピュータが読み取り可能な媒体。
【請求項２６】
少なくとも１つのアイドル期間は、関連付けられたアプリケーションによって定義される、請求項２３に記載のコンピュータが読み取り可能な媒体。
【請求項２７】
いくつかのアイドル期間同士は等しくない、請求項２３に記載のコンピュータが読み取り可能な媒体。
【請求項２８】
少なくとも１つの通信コネクションはソケットのコネクションである、請求項２３に記載のコンピュータが読み取り可能な媒体。
【発明の詳細な説明】
【技術分野】
【０００１】
本発明は、一般に、無線通信システムにおけるトラヒックチャネルを管理することに関する。
【背景技術】
【０００２】
符号分割多元接続（ＣＤＭＡ）のような無線通信システムは、“移動局”とも呼ばれる無線装置の間の通信を実行するために、いくつかのチャネルを用いる。チャネルの１つはトラヒックチャネルであり、それは交換されている実際の音声又はデータ情報を運ぶ。データ情報の場合、ソフトウェアのアプリケーション（ａｐｐｌｉｃａｔｉｏｎｓ）は、無線電話の基盤施設を通して他の装置と通信するために、移動局を用いることができる。
【０００３】
例えば、１つの利用法では、移動局はラップトップコンピュータに接続させることができ、コンピュータ上で動いている（ｒｕｎｎｉｎｇ）アプリケーションは、移動局から提供されるトラヒックチャネルの手段によって、外部の計算する要素（ｃｏｍｐｕｔｉｎｇ  ｃｏｍｐｏｎｅｎｔｓ）と通信することが出来る。このようなやり方で動作する移動局は“パケットモード”で動作していると言われ、そして、それは本質的には、単に無線モデムとして機能している。
【０００４】
ソフトウェアのアプリケーションは、しかしながら移動局自身内のプロセッサーによってもまた実行され得る。無線電話また他の無線通信装置がより洗練されて行くにつれ、これは増えて行く事例である。移動局の通信能力はそのようなアプリケーションによって、外部の計算する要素と通信するために用いられ得る。この場合の移動局は“ソケット（ｓｏｃｋｅｔ）モード”で動作していると言われる。この場合、さもなければ、移動局がパケットモードのときラップトップによって扱われていたはずの、多くの通信プロトコル機能は移動局自身によって扱われなければならない。ここで、移動局はディジタル移動局ソフトウェア（ＤＭＳＳ）と呼ばれる追加的なソフトウェアを必要とする。
【０００５】
現在、ソケットモードで動作している移動局はトラヒックチャネルを暇にすることが出来ない。別の言い方をすれば、移動局で“ソケット”と呼ばれる一番目の論理的な通信ポート（ｐｏｒｔ）を用いるソフトウェアのアプリケーションの通信要求が、暫く停止させられたとき、それでも、トラヒックチャネルは、他の資源（ｒｅｓｏｕｒｃｅｓ）による利用のために解放されうることはない。さらに、本発明は以下の重要な所見を示す、即ち、同じ移動局上で実行されているかもしれない他のアプリケーションが同じチャネルを使用しているかどうかを考慮せずにあるアプリケーションがトラヒックチャネルを解放することを単に許すことは、ひとつのアプリケーションが、現在別のアプリケーションによって使用されているトラヒックチャネルを知らずに切断することになり得る。この重要な所見を示しながら、本発明は、ここで示される解決策を提供する。
【発明の開示】
【０００６】
[サマリー]   無線通信システムにおける、トラヒックチャネルの使用（ｕｓｅ）を管理するための方法であって、該方法は以下を含む：無線通信装置において第一及び第二の通信コネクション（ｃｏｎｎｅｃｔｉｏｎｓ）を確立すること及び、その第一及び第二のコネクションに対してそれぞれ第一及び第二のアイドル（ｉｄｏｌ）期間を確立すること。第一及び第二のコネクションと関連付けられたトラヒックチャネルは、両方のアイドル期間が終わる時に解放される。
【０００７】
好ましい実施例において、それぞれのコネクションを通して送信及び受信が通過するとき、アイドル期間をリセットすることを、前記方法は含む。ソケット／アプリケーションのアイドル期間はデフォルト（ｄｅｆａｕｌｔ）値に設定されうる、或いは、それは関連付けられたアプリケーションによって設定されうる。アイドル期間同士は、お互いに等しくなる必要はない。
【０００８】
別の観点から、無線通信システムは、ソケットモードで動いている第一のアプリケーションとソケットモードで動いている第二のアプリケーションを含む。アプリケーションは潜在的に共通の無線トラヒックチャネルの使用を要求する。この観点に沿うように、トラヒックチャネル上の送信が無いときに、トラヒックチャネルは休止状態（ｄｏｒｍａｎｔ）になることが選択的に許される。
【０００９】
さらに別の観点では、コンピュータプログラム製品は、第一のコネクションに第一のアイドル期間を関連付ける手段、そして第二のコネクションに第二のアイドル期間を関連付ける手段を含む。無線トラヒックチャネルは両方のコネクションに対して確立され得る。アイドル期間が終了したときにトラヒックチャネルを解放するための手段が提供される。
【００１０】
またさらに別の観点では、無線通信装置と複数のソケット及び／又はパケットのコネクションに関連付けられたトラヒックチャネルを管理するための方法は以下を含む、即ち、複数のアプリケーションに関連付けられたトラヒックチャネルが、そのトラヒックチャネルに関連付けられた全てのアプリケーションがそのトラヒックチャネルを必要としないときにのみ、解放されることを可能にすること。
【００１１】
本発明の詳細は、その構成及び動作の両方に関して、図面を参照すれば最良に理解され得る。図面において、同様の参照番号は同様の部分を示す。
【００１２】
[好ましい実施形態の詳細な説明]  最初に図１に言及すると、電話の基盤施設１４を通して通信を実行するためのシステムは、一般に１０と名づけられて、示される。前記通信は、ここで“移動局”と呼ばれる第一の無線通信装置１２と、他の無線通信装置のような、しかしそれに限定されない、計算する装置１３との間のものである。
【００１３】
本発明から想像されるが、移動局１２は複数のソフトウェアのアプリケーションを含むことができ、これは図１で第一及び第二のアプリケーション１２ａ，１２ｂとして示される。アプリケーション１２ａ，１２ｂは、移動局１２のそれぞれの通信“ソケット”を用いながら、外部の計算装置１３と通信する。開示の簡単さのためにただ二つのアプリケーション１２ａ，１２ｂを示すが、２つより多いアプリケーションが本発明の原理によって考えられていることは理解されなければならない。
【００１４】
基盤施設１４は、本技術分野で知られている無線通信の原理に調和して、例えば、基地局（ＢＴＳ）、基地局コントローラ（ＢＳＣ）、そして追加的な基盤施設を含むことが出来る。
【００１５】
本発明に調和して、システム１０はスペクトラム拡散の技術を用いる。従って、移動局１２は、基盤施設１４と通信するためにＣＤＭＡ又はＷＣＤＭＡのような空中（ｏｖｅｒ  ｔｈｅ  ａｉｒ）（ＯＴＡ）プロトコルを用いることが出来る。１つの制限の無い実施例において、移動局１２は、京セラ（Ｋｙｏｃｅｒａ）、サムソン（Ｓａｍｓｕｎｇ）、又はその他の製造業者によって作られた移動電話であり、その移動電話は、符号分割多元接続（ＣＤＭＡ）原理及びＣＤＭＡ空中（ＯＴＡ）通信エア（ａｉｒ）インターフェースを用い、更に、その移動電話は、ＩＳ−９５Ａ、ＩＳ−９５Ｂ、ＷＣＤＭＡ、ＩＸ、ＩＸＣＶ、ＥＶ、そしてＤＶ、ＩＳ−２０００、及びその他の中で定義されているような、しかしそれに限定されないプロトコルを、基盤施設１４と通信するために含む。
【００１６】
例えば、本発明が適用できる無線通信システムは、上記の記載に加えて、個人通信サービス（ＰＣＳ）や以下のディジタルシステム：ＣＤＭＡ、ＷＣＤＡＭ、そして混成の時分割多元接続（ＴＤＭＡ）／ＣＤＭＡ技術を含む。ＣＤＭＡのセルラー（ｃｅｌｌｕｌａｒ）システムは通信機械工業会（Ｔｅｌｅｃｏｍｍｕｎｉｃａｔｉｏｎｓ  Ｉｎｄｕｓｔｒｙ  Ａｓｓｏｃｉａｔｉｏｎ）／電子機械工業会（Ｅｌｅｃｔｒｏｎｉｃ  Ｉｎｄｕｓｔｒｉｅｓ  Ａｓｓｏｃｉａｔｉｏｎ）（ＴＩＡ／ＥＩＡ）の標準（Ｓｔａｎｄａｒｄ）ＩＳ−９５に記載されている。他の通信システムはＩＳ−９８及び国際移動電気通信システム２０００（Ｉｎｔｅｒｎａｔｉｏｎａｌ  Ｍｏｂｉｌｅ  Ｔｅｌｅｃｏｍｍｕｎｉｃａｔｉｏｎｓ  Ｓｙｓｔｅｍ  ２０００）／世界移動電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）（ＩＭＴ−２０００／ＵＭ）に記載されている。（ＩＭＴ−２０００／ＵＭ）は、所謂、ワイドバンドＣＤＭＡ（ＷＣＤＭＡ）、ｃｄｍａ２０００(例えば、ｃｄｍａ２０００  １ｘ  または ３ｘ 標準のような)、またはＴＤ−ＳＣＤＭＡを含む標準である。
【００１７】
本発明は、任意のスペクトラム拡散の移動局１２に適用される；例として、移動局１２は電話であると仮定されるだろう。一般に、本発明が適用される無線通信装置は、これらに限定されるわけではないが、無線ハンドセット又は電話、セルラー電話、データ送受信機、又は、無線呼び出し及び位置決定の受信機を含んでよく、望まれるならば、乗り物に搭載可能（自動車、トラック、ボート、飛行機、列車を含む）であるように、手で持てたり、持ち運び可能であってよい。しかしながら、無線通信装置は一般に移動可能とみなされるが、本発明は特定の実施における“固定された”装置に適用され得ることは理解されなければならない。また、本発明は、音声及び／又はディジタル化されたビデオ情報を含むデータ情報を、転送するために用いられるデータモジュール又はモデムに適用され、有線または無線のリンクを用いて他の装置と通信してもよい。更に、モデムやモジュールを、複数の通信チャネル上に情報を転送するためにあらかじめ定め調整され関連付けられたやり方で動作させる目的で、コマンド（ｃｏｍｍａｎｄｓ）が用いられてもよい。無線通信装置はまたしばしば、ユーザ端末、移動局、移動ユニット（ｕｎｉｔｓ）、加入者ユニット、移動無線機または無線電話、無線ユニット、また、ある通信システムでは単に“ユーザーズ（ｕｓｅｒｓ）”そして“モバイルズ（ｍｏｂｉｌｅｓ）”と呼ばれる。
【００１８】
上にある本構成の概観を考慮にいれて、以下が理解されなければならない、即ち、本論理は下記で述べるフローチャートに沿って、例えば、移動局１２によって実行されること、そして、本論理はより特殊的には、移動局１２のＤＭＳＳにおいて実施されることである。ここのフローチャートは、コンピュータプログラムのソフトウェアで実施される本発明の論理の構成を示す。当業者は、本発明に従って機能する論理要素、それらはコンピュータプログラムのコード要素或いは電子論理回路のようなものであるが、それらの構成をフローチャートが示すことを好む。明らかに、発明はその本質的な実施例において以下の機械部品によって実行される。その機械部品は、デジタル処理装置（それは、コンピュータ、制御器、プロセッサ等である）が、ここで示されたものに対応する機能ステップの連続（ｓｅｑｕｅｎｃｅ）を実行するように、指示する形式で論理要素を表現する。
【００１９】
言い換えれば、この論理は以下のコンピュータプログラムで実現されてもよく、このコンピュータプログラムは、コンピュータまたは制御要素で実行可能な指示の連続として示され、プロセッサ又は、１つまたはそれ以上の要素に含まれるプロセッサによって実行される。これらの指示は、例えば、ＲＡＭ、またはハードドライブ、または光ドライブに存在しても良いし、その指示は、磁気テープ、電子的な読み取りのみのメモリー、または他の適当な、動的に変更または更新が可能なデータ保持装置に保持されても良い。
【００２０】
ブロック１６から始めると、本技術分野で知られた無線通信の仕組みに沿ってトラヒックチャネルが確立された後に、決定の菱形（ｄｅｃｉｓｉｏｎ  ｄｉａｍｏｎｄ）１８において、それぞれのアイドル期間が各アプリケーション１２ａ、１２ｂによって定義されているかどうかが決定される。別の見方をすると、ＭＳ１２と関連付けられた各それぞれのソケットに対して、アイドル期間が確立されているかどうかが決定される。
【００２１】
特定のアプリケーション及び／又はソケットがそれ自身のアイドル期間を定義していないならば、ブロック２０でデフォルトの期間がそのソケットに割り当てられる。さもなければ、ブロック２２で、アプリケーション及び／又はソケットによって自ら定義されているアイドル期間が割り当てられる。第一のアプリケーション１２ａ及び／又はそのそれぞれのソケットと関連付けられたアイドル期間と、第二のアプリケーション１２ｂ及び／又はそのそれぞれのソケットと関連付けられたアイドル期間は同じである必要がないことは理解されなければならない。
【００２２】
ブロック２４で、ソケットを通して送信又は受信が生ずるという事象において、期間を秒読みする（ｃｏｕｎｔｓ  ｄｏｗｎ）タイマーをリセットすることによって、そのソケットのアイドル期間はリセットされる。決定の菱形２６は以下のシステムの状態と同等の決定を表す。即ち、その状態とは、その状態において、ブロック２４の条件によってリセットすること無しに秒読みしている、関連付けられたタイマーによって、全てのソケットのアイドル期間が終了している。この状態が達成されると、論理はブロック２８へと進み、“トラヒックチャネル休止状態”に戻るか、さもなければ、トラヒックチャネルを解放する。このように、トラヒックチャネルは、ＭＳ１２で動いているかもしれない全てのアプリケーションがそれと共に終わらされるまで、解放されない。上記論理が、ＭＳ１２自身の内部の代わりに、望まれるならばホストコンピューティング（ｈｏｓｔ  ｃｏｍｐｕｔｉｎｇ）装置の中で実行されることで、これらの原則は等しくパケットモードに対しても適用されるであろう。
【００２３】
ここで詳細に示し、記述された、無線通信のソケットモードにおけるトラヒックチャネルの休止のための特定のシステム及び方法は、本発明の上記目的を達成することが十分可能であるが、以下のことは理解されなければならない、即ち、それは本発明の現在において好ましい実施例であり、それ故、本発明によって幅広く考察された主題の代表例であること、本発明の範囲は、当業者にとって明らかになるかもしれない他の実施例を十分に含むこと、そして、本発明の範囲は、従って、ただ特許請求の範囲によってのみ制限されなければならないことである。特許請求の範囲における、単数形での要素への参照は、明示的にそのように言及されているのでない限り、“１つそして唯１つの”を意味するように意図されているのでは無く、むしろ“１つ又はそれ以上”を意味する。当業者に知られている又は後に知られるようになる、上記好ましい実施例の要素に対する、全ての構造的又は機能的等価物は、言及されることによってここに明確に取り込まれ、本願の特許請求の範囲に含まれることが意図される。更に、装置や方法が本願の特許請求の範囲に含まれる為に、本発明によって解決されることが求められる各々そして全ての問題を扱う必要は無い。その上、本開示における要素、構成部分、及び方法のステップで、その要素、構成部分、及び方法のステップが明示的に特許請求の範囲に列挙されているかどうか考慮せずに、公に示すように意図されているものはない。本願の特許請求の範囲の要素で、以下の場合を除いて、35U.S.C §112第６節の規定に基づいて構成されなければならないものは無い。即ち、要素が“に対する手段”という言い回しを用いて明示的に列挙されている場合または、方法の請求項において、要素が“動作”ではなく“ステップ”として列挙されている場合である。
【図面の簡単な説明】
【００２４】
【図１】システム構成を示す単純化されたブロック図である。
【図２】本論理のフローチャートである。
【符号の説明】
【００２５】
１０・・システム
【図１】
2005510967.tif 000003
【図２】
2005510967.tif 000004
【国際調査報告】
2005510967.tif 000005
2005510967.tif 000006
2005510967.tif 000007